【手続補正書】
【提出日】平成23年7月27日(2011.7.27)
【手続補正１】
【補正対象書類名】特許請求の範囲
【補正対象項目名】全文
【補正方法】変更
【補正の内容】
【特許請求の範囲】
【請求項１】
ユーザの操作により文字を第１の文字入力領域に入力して文書を作成する文書作成装置であって、
前記第１の文字入力領域の段数を分割する複数の段数と、該複数の段数の文字入力領域として生成される複数の第２の文字入力領域の位置情報とを記憶する記憶手段と、
前記記憶手段で記憶されている複数の段数で、前記第１の文字入力領域の段数を分割することにより、当該分割された複数の段数の文字入力領域として第２の文字入力領域をそれぞれ生成する生成手段と、
前記生成手段により生成された複数の第２の文字入力領域を表示する表示手段と、
前記表示手段で表示される複数の第２の文字入力領域に対する文字の入力をユーザにより受け付ける文字入力受付手段と、
前記文字入力受付手段で前記複数の第２の文字入力領域のそれぞれに入力された文字を、該文字が入力された第２の文字入力領域の位置情報に従って、前記第１の文字入力領域に入力する入力手段と、
を備えることを特徴とする文書作成装置。
【請求項２】
前記記憶手段は、更に、前記第１の文字入力領域の段数を分割する複数の段数を、複数種類記憶し、
前記記憶手段に記憶されている複数の段数を特定する特定情報を複数種類のそれぞれについて表示する種類表示手段と、
前記種類表示手段で表示された複数種類の特定情報の中から、ユーザによる選択を受け付ける選択受付手段と、
を更に備え、
前記生成手段は、前記選択受付手段で特定情報の選択を受け付けた場合に、当該選択を受け付けた特定情報により特定される複数の段数で、前記第１の文字入力領域の段数を分割することにより、当該分割された複数の段数の文字入力領域として第２の文字入力領域をそれぞれ生成することを特徴とする請求項１に記載の文書作成装置。
【請求項３】
前記文字入力受付手段で前記複数の第２の文字入力領域のそれぞれに入力された文字のうち、該複数の第２の文字入力領域のそれぞれの行の文字を特定する特定手段を更に備え、
前記入力手段は、前記特定手段で特定された行の文字を、前記特定手段により該文字が特定された第２の文字入力領域の位置情報に従って、繰り返し前記第１の文字入力領域に入力することを特徴とする請求項１又は２に記載の文書作成装置。
【請求項４】
前記特定手段により特定された行の文字の数が、前記特定手段により該文字が特定された第２の文字入力領域の段数よりも少ないかを判定する判定手段と、
前記判定手段により、前記特定手段により特定された行の文字の数が、前記特定手段により該文字が特定された第２の文字入力領域の段数よりも少ないと判定された場合に、前記特定手段により特定された行の文字の数が、前記特定手段により該文字が特定された第２の文字入力領域の段数と同じになるように、該行に空白文字を挿入する空白文字挿入手段と、
を更に備えたことを特徴とする請求項３記載の文書作成装置。
【請求項５】
前記表示手段で表示された第２の文字入力領域の段数間の文字に改行文字があるか否かを判定する改行文字判定手段と、
前記改行文字判定手段で段数間の文字に改行文字が無いと判定された場合に、該改行文字が無いと判定された段数間の文字の最後の文字の直後に、該第２の文字入力領域における行の改行文字を挿入する改行文字挿入手段と、
を更に備え、
前記特定手段は、前記改行文字挿入手段により挿入された改行文字に従って、前記表示手段で表示された複数の第２の文字入力領域のそれぞれの行の文字を特定することを特徴とする請求項３又は４に記載の文書作成装置。
【請求項６】
前記表示手段により表示された前記第２の文字入力領域の配置位置の入替指示を受け付ける入替指示受付手段と、
前記入替指示受付手段により受け付けた該第２の文字入力領域の配置位置の入替指示に従って、前記記憶手段に記憶されている該第２の文字入力領域の位置情報を他の第２の文字入力領域の位置情報と入れ替える位置情報入替手段と、
を更に備えたことを特徴とする請求項１乃至５のいずれか１項記載の文書作成装置。
【請求項７】
文字を入力する第１の文字入力領域の段数を分割する複数の段数と、該複数の段数の文字入力領域として生成される複数の第２の文字入力領域の位置情報とを記憶する記憶手段を備え、ユーザの操作により文字を第１の文字入力領域に入力して文書を作成する文書作成装置における文書作成方法であって、
生成手段が、前記記憶手段で記憶されている複数の段数で、前記第１の文字入力領域の段数を分割することにより、当該分割された複数の段数の文字入力領域として第２の文字入力領域をそれぞれ生成する生成工程と、
表示手段が、前記生成工程により生成された複数の第２の文字入力領域を表示する表示工程と、
文字入力受付手段が、前記表示工程で表示される複数の第２の文字入力領域に対する文字の入力をユーザにより受け付ける文字入力受付工程と、
入力手段が、前記文字入力受付工程で前記複数の第２の文字入力領域のそれぞれに入力された文字を、該文字が入力された第２の文字入力領域の位置情報に従って、前記第１の文字入力領域に入力する入力工程と、
を備えることを特徴とする文書作成装置における文書作成方法。
【請求項８】
文字を入力する第１の文字入力領域の段数を分割する複数の段数と、該複数の段数の文字入力領域として生成される複数の第２の文字入力領域の位置情報とを記憶する記憶手段を備え、ユーザの操作により文字を第１の文字入力領域に入力して文書を作成する文書作成装置で読み取り実行可能なプログラムであって、
前記文書作成装置を、
前記記憶手段で記憶されている複数の段数で、前記第１の文字入力領域の段数を分割することにより、当該分割された複数の段数の文字入力領域として第２の文字入力領域をそれぞれ生成する生成手段と、
前記生成手段により生成された複数の第２の文字入力領域を表示する表示手段と、
前記表示手段で表示される複数の第２の文字入力領域に対する文字の入力をユーザにより受け付ける文字入力受付手段と、
前記文字入力受付手段で前記複数の第２の文字入力領域のそれぞれに入力された文字を、該文字が入力された第２の文字入力領域の位置情報に従って、前記第１の文字入力領域に入力する入力手段として機能させることを特徴とするプログラム。
【手続補正２】
【補正対象書類名】明細書
【補正対象項目名】００１３
【補正方法】変更
【補正の内容】
【００１３】
本発明は、ユーザの操作により文字を第１の文字入力領域に入力して文書を作成する文書作成装置であって、前記第１の文字入力領域の段数を分割する複数の段数と、該複数の段数の文字入力領域として生成される複数の第２の文字入力領域の位置情報とを記憶する記憶手段と、前記記憶手段で記憶されている複数の段数で、前記第１の文字入力領域の段数を分割することにより、当該分割された複数の段数の文字入力領域として第２の文字入力領域をそれぞれ生成する生成手段と、前記生成手段により生成された複数の第２の文字入力領域を表示する表示手段と、前記表示手段で表示される複数の第２の文字入力領域に対する文字の入力をユーザにより受け付ける文字入力受付手段と、前記文字入力受付手段で前記複数の第２の文字入力領域のそれぞれに入力された文字を、該文字が入力された第２の文字入力領域の位置情報に従って、前記第１の文字入力領域に入力する入力手段と、を備えることを特徴とする。
【手続補正３】
【補正対象書類名】明細書
【補正対象項目名】００１４
【補正方法】変更
【補正の内容】
【００１４】
また、本発明は、文字を入力する第１の文字入力領域の段数を分割する複数の段数と、該複数の段数の文字入力領域として生成される複数の第２の文字入力領域の位置情報とを記憶する記憶手段を備え、ユーザの操作により文字を第１の文字入力領域に入力して文書を作成する文書作成装置における文書作成方法であって、生成手段が、前記記憶手段で記憶されている複数の段数で、前記第１の文字入力領域の段数を分割することにより、当該分割された複数の段数の文字入力領域として第２の文字入力領域をそれぞれ生成する生成工程と、表示手段が、前記生成工程により生成された複数の第２の文字入力領域を表示する表示工程と、文字入力受付手段が、前記表示工程で表示される複数の第２の文字入力領域に対する文字の入力をユーザにより受け付ける文字入力受付工程と、入力手段が、前記文字入力受付工程で前記複数の第２の文字入力領域のそれぞれに入力された文字を、該文字が入力された第２の文字入力領域の位置情報に従って、前記第１の文字入力領域に入力する入力工程と、を備えることを特徴とする。
【手続補正４】
【補正対象書類名】明細書
【補正対象項目名】００１５
【補正方法】変更
【補正の内容】
【００１５】
また、本発明は、文字を入力する第１の文字入力領域の段数を分割する複数の段数と、該複数の段数の文字入力領域として生成される複数の第２の文字入力領域の位置情報とを記憶する記憶手段を備え、ユーザの操作により文字を第１の文字入力領域に入力して文書を作成する文書作成装置で読み取り実行可能なプログラムであって、前記文書作成装置を、前記記憶手段で記憶されている複数の段数で、前記第１の文字入力領域の段数を分割することにより、当該分割された複数の段数の文字入力領域として第２の文字入力領域をそれぞれ生成する生成手段と、前記生成手段により生成された複数の第２の文字入力領域を表示する表示手段と、前記表示手段で表示される複数の第２の文字入力領域に対する文字の入力をユーザにより受け付ける文字入力受付手段と、前記文字入力受付手段で前記複数の第２の文字入力領域のそれぞれに入力された文字を、該文字が入力された第２の文字入力領域の位置情報に従って、前記第１の文字入力領域に入力する入力手段として機能させることを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】